(57)【要約】【課題】ブース空間に供給する空調した空気量を低減するとともに、ブース空間内の物質が外部空間に流出することを抑制できるドライブースを提供すること。【解決手段】ブース本体２の周壁を構成するカーテン３を２重構造とし、この２重構造のカーテン３ａ、３ｂ間に形成された空間５から強制的に排気を行うとともに、この排気された空気を除湿ユニット６を介して、２重構造のカーテン３の内側カーテン３ａで仕切られたブース空間４と、２重構造のカーテン３間に形成された空間５とに、２重構造のカーテン３ａ、３ｂ間に形成された空間５がブース空間４及び外部空間９に対して陰圧に保持されるように供給する。【選択図】図１
2014169816.tif 000002
【特許請求の範囲】
【請求項１】
ブース本体の周壁を構成するカーテンを２重構造とし、該２重構造のカーテン間に形成された空間から強制的に排気を行うとともに、該排気された空気を除湿ユニットを介して、前記２重構造のカーテンの内側カーテンで仕切られたブース空間と、２重構造のカーテン間に形成された空間とに、前記２重構造のカーテン間に形成された空間がブース空間及び外部空間に対して陰圧に保持されるように供給するようにしてなることを特徴とするドライブース。
【請求項２】
２重構造のカーテン間に形成された空間の下部の複数箇所から排気を行うことを特徴とする請求項１記載のドライブース。
【発明の詳細な説明】
【技術分野】
【０００１】
本発明は、電子部品の組立、実験等の各種作業を行う場所において、限られた必要箇所の雰囲気のみを所定の低湿度状態に保持するために用いられるドライブースに関するものである。
【背景技術】
【０００２】
従来、電子部品の組立、実験等の各種作業を行う場所において、限られた必要箇所の雰囲気のみを所定の状態に保持するために、ブース空間を合成樹脂製のシートで外部空間と仕切るようにしたブースが汎用されている。
さらに、ブース空間の気密性や断熱性を高めるために、シートを２重構造としたものも提案されている（例えば、特許文献１〜２参照。）。
【先行技術文献】
【特許文献】
【０００３】
【特許文献１】特開平１１−８３１０４号公報
【特許文献２】特開２００８−２７５２３３号公報
【発明の概要】
【発明が解決しようとする課題】
【０００４】
ところで、上記従来のブースは、外部空間の雰囲気や人の出入りの影響を極力排除することができるように、ブース空間を陽圧に保持し、ブース空間（及び２重構造のカーテン間に形成された空間）の空気が外部空間に流出するように設計されていた。
【０００５】
このため、ブース空間に供給する空気量が多くなり、エネルギコストがかかるとともに、特に、溶剤、微粒子等の外部空間に流出することが好ましくない物質を扱う場合には、これらの物質の発生源の近傍の局所的な強制排気設備が必要になったり、ブースの使用に制約が生じる等の問題があった。
【０００６】
本発明は、上記従来のブースの有する問題点に鑑み、ブース空間に供給する空調した空気量を低減するとともに、ブース空間内の物質が外部空間に流出することを抑制できるドライブースを提供することを目的とする。
【課題を解決するための手段】
【０００７】
上記目的を達成するため、本発明のドライブースは、ブース本体の周壁を構成するカーテンを２重構造とし、該２重構造のカーテン間に形成された空間から強制的に排気を行うとともに、該排気された空気を除湿ユニットを介して、前記２重構造のカーテンの内側カーテンで仕切られたブース空間と、２重構造のカーテン間に形成された空間とに、前記２重構造のカーテン間に形成された空間がブース空間及び外部空間に対して陰圧に保持されるように供給するようにしてなることを特徴とする。
【０００８】
この場合において、２重構造のカーテン間に形成された空間の下部の複数箇所から排気を行うようにすることができる。
【発明の効果】
【０００９】
本発明のドライブースによれば、ブース本体の周壁を構成するカーテンを２重構造とし、該２重構造のカーテン間に形成された空間から強制的に排気を行うとともに、該排気された空気を除湿ユニットを介して、前記２重構造のカーテンの内側カーテンで仕切られたブース空間と、２重構造のカーテン間に形成された空間とに、前記２重構造のカーテン間に形成された空間がブース空間及び外部空間に対して陰圧に保持されるように供給するようにすることにより、単にブース空間を陽圧に保持する場合と比較して、外部空間の雰囲気や人の出入りの影響を受けにくくなり、ブース空間に供給する空調した空気量を低減することができ、エネルギコストを低廉にできるとともに、ブース空間及び外部空間に対して陰圧に保持される２重構造のカーテン間に形成された空間を介在することによって、ブース空間内の物質が空気に乗って外部空間に流出することを抑制でき、安全かつ低コストでブースの使用を行うことができる。
【００１０】
また、２重構造のカーテン間に形成された空間の下部の複数箇所から排気を行うようにすることにより、カーテン間に形成された空間の気圧の偏りを少なくすることができ、ブース空間に外部空間の空気が流入することを確実に防止してブース空間の雰囲気を所定の状態に安定して保持することができる。
【図面の簡単な説明】
【００１１】
【図１】本発明のドライブースの一実施例を示し、（ａ）は正面断面図、（ｂ）は（ａ）のＸ−Ｘ断面図である。
【図２】本発明のドライブースの運転状態の一例を示す説明図である。
【発明を実施するための形態】
【００１２】
以下、本発明のドライブースの実施の形態を、図面に基づいて説明する。
【００１３】
図１〜図２に、本発明のドライブースの一実施例を示す。
このドライブース１は、ブース本体２の周壁を構成するカーテン３を内側カーテン３ａと外側カーテン３ｂの２重構造とし、この２重構造のカーテン３ａ、３ｂ間に形成された空間５から強制的に排気を行うとともに、排気された空気を除湿ユニット６を介して、内側カーテン３ａで仕切られたブース空間４と、２重構造のカーテン３ａ、３ｂ間に形成された空間５とに、２重構造のカーテン３ａ、３ｂ間に形成された空間５がブース空間４及び外部空間９に対して陰圧に保持されるように供給するようにしたものである。
【００１４】
ブース本体２は、ブース本体２の頂部に配されるチャンバ２０と、床面ＦＬ上に立設される４本の支柱２３とを有し、チャンバ２０の四隅が４本の支柱２３の上端部に連結されて構成されている。
【００１５】
チャンバ２０は、除湿ユニット６からダクト７を介して接続される上流側チャンバ２１と、その下流側に配される下流側チャンバ２２とが組み合わされてなる。
上流側チャンバ２１は、エアフィルタユニット２１ａを備え、除湿ユニット６からダクト７を介して送られてくる空気を清浄化して、下流側チャンバ２２に供給するようにしている。
下流側チャンバ２２は、拡散板２２ａ及びスクリーンメッシュやパンチングメタル等の通気細孔を形成した吹出し面板２２ｂ及び通気孔を形成した吹出し面板２２ｃを備え、除湿ユニット６から送られる乾燥した空気を、内側カーテン３ａで仕切られたブース空間４と、２重構造のカーテン３ａ、３ｂ間に形成された空間５とに、それぞれ均一に供給するようにしている。
なお、両空間４、５に供給する空気の割合は、吹出し面板２２ｂ及び吹出し面板２２ｃに形成された通気細孔や通気孔の開口面積を閉鎖板（図示省略）等によって調節することによって、任意に調整することができる。
【００１６】
また、除湿ユニット６は、２重構造のカーテン３ａ、３ｂ間に形成された空間５から外側カーテン３ｂに配設された排気部８から強制的に排気された空気を導入し、乾燥した空気を放出できるものであれば、その方式は特に限定されず、従来公知の除湿ユニットを使用することができる。
なお、 除湿ユニット６には、必要に応じて、温調ユニットを併設したり、除湿機能と温調機能を有するユニットを用いることもできる。
【００１７】
ところで、本実施例において、２重構造のカーテン３ａ、３ｂ間に形成された空間５内の空気を排気するために排気部８を、ブース本体２の対角位置の外側カーテン３ｂの下部の位置に配設するようにしている。
このように、２重構造のカーテン３ａ、３ｂ間に形成された空間５の下部の複数箇所から排気を行うようにすることにより、カーテン３ａ、３ｂ間に形成された空間５の気圧の偏りを少なくすることができ、ブース空間４に外部空間９の空気が流入することを確実に防止してブース空間４の雰囲気を所定の状態に安定して保持することができる。
なお、排気部８を設ける位置や個数は、任意に設定することができる。
【００１８】
カーテン３ａ、３ｂは、それぞれ上端を上流側チャンバ２１に接続するとともに、下端を床面ＦＬにほぼ接する程度の長さに設定することにより、内側カーテン３ａで仕切られたブース空間４及び２重構造のカーテン３ａ、３ｂ間に形成された空間５の気密性が、２重構造のカーテン３ａ、３ｂ間に形成された空間５及び外部空間９に対して、ある程度保持されるようにする。
内側カーテン３ａと外側カーテン３ｂの間隔は、数ｃｍ〜数十ｃｍの範囲で任意に設定することができるが、人が出入りする箇所の間隔は、出入りする人が２重構造のカーテン３ａ、３ｂ間に形成された空間５内に一旦留まれる寸法、具体的には、５０ｃｍ以上に設定することが好ましい。
これにより、人が出入りする際に、内側カーテン３ａと外側カーテン３ｂを同時に開かなくてもよくなり、かつ、２重構造のカーテン３ａ、３ｂ間に形成された空間５の雰囲気が安定した状態で内側カーテン３ａを開くようにすることができるため、人の出入りの影響を極力排除することができる。
カーテン３ａ、３ｂは、塩化ビニル樹脂、ポリオレフィン樹脂等の合成樹脂製のシートから構成するほか、合成樹脂製のフィルムをラミネートした布等、通気性のない任意の素材で構成することができる。
【００１９】
ブース空間４の気圧は、外部空間９の気圧（通常は大気圧）より若干高い、具体的には、外部空間９の気圧＋数Ｐａ程度、より具体的には、＋２〜＋３Ｐａ程度の陽圧に保持されるようにすることが好ましい。
このため、各空間の気圧条件は、２重構造のカーテン３ａ、３ｂ間に形成された空間５の気圧＜外部空間９の気圧＜ブース空間４の気圧の条件を満たすように、除湿ユニット６を含む空気の循環経路を構成する機器を運転するようにする。
これにより、ブース空間４及び外部空間９から、カーテン３ａ、３ｂの下端と床面ＦＬの隙間を通って、２重構造のカーテン３ａ、３ｂ間に形成された空間５に空気が流入することとなる。
【００２０】
図２に、２重構造のカーテン３ａ、３ｂを用いたドライブース（実施例）と１重構造のカーテンを用いたドライブース（比較例）の空気の流入、流出量の収支と、ブース空間４内の空気の露点温度及び気圧の一例を示す。
これからも明らかなように、実施例のものは、比較例より、ブース空間４内の空気の露点温度を低く保持できるとともに、ブース空間４内を陽圧に保持できることを確認した。
【００２１】
このように、このドライブース１によれば、２重構造のカーテン３ａ、３ｂ間に形成された空間５がブース空間４及び外部空間９に対して陰圧に保持されるようにすることにより、単にブース空間４を陽圧や陰圧に保持する場合と比較して、外部空間９の雰囲気や人の出入りの影響を受けにくくなり、例えば、ブース空間４内の空気の露点温度を低く保持するためにブース空間４に供給する空調した空気量を低減することができ、エネルギコストを低廉にできるとともに、ブース空間４及び外部空間９に対して陰圧に保持される２重構造のカーテン３ａ、３ｂ間に形成された空間５を介在することによって、ブース空間４内の物質が空気に乗って外部空間９に流出することを抑制でき、安全かつ低コストでブースの使用を行うことができる。
【００２２】
以上、本発明のドライブースについて、その実施例に基づいて説明したが、本発明は上記実施例に記載した構成に限定されるものではなく、その趣旨を逸脱しない範囲において適宜その構成を変更することができるものである。
【産業上の利用可能性】
【００２３】
本発明のドライブースは、ブース空間に供給する空調した空気量を低減するとともに、ブース空間内の物質が外部空間に流出することを抑制できる特性を有していることから、電子部品の組立、実験等の各種作業を行う場所において、限られた必要箇所の雰囲気のみを所定の状態に保持するために使用されるブースの用途に好適に用いることができる。
【符号の説明】
【００２４】
１  ドライブース
２  ブース本体
２０  チャンバ
２１  上流側チャンバ
２２  下流側チャンバ
２３  支柱
３  カーテン
３ａ  内側カーテン
３ｂ  外側カーテン
４  ブース空間
５  ２重構造のカーテン間に形成された空間
６  除湿ユニット
７  ダクト
８  排気部
９  外部空間
【図１】
2014169816.tif 000003
【図２】
2014169816.tif 000004